【手続補正書】
【提出日】平成18年9月29日(2006.9.29)
【手続補正１】
【補正対象書類名】明細書
【補正対象項目名】発明の名称
【補正方法】変更
【補正の内容】
【発明の名称】注射器
【手続補正２】
【補正対象書類名】明細書
【補正対象項目名】特許請求の範囲
【補正方法】変更
【補正の内容】
【特許請求の範囲】
【請求項１】
液体の吸引および／または排出開口部（１１）が配されている前端部（１０ａ）および第２開口端部すなわち出入口部（１０ｂ）を備える、シリンダー形状の第１主要部（１０）と、
前端部にピストン（２１ａ）を備え、前記シリンダー（１０）の出入口部（１０ｂ）からそのシリンダー（１０）内に挿入される第１部材すなわちピストン棒（２１）からなり、前端部（２２ａ）および後端部（２２ｂ）を有する第２部材すなわちプッシュ部（２２）を備える第２主要部（２０）とから形成されており、
第２主要部（２０）は、ピストン棒（２１）のピストン（２１ａ）がシリンダー（１０）の前端部（１０ａ）に近接する位置にある第１ポジションと、このピストン棒（２１）のピストン（２１ａ）がシリンダー（１０）の前端部（１０ａ）から離れた位置にある第２ポジションとの間で移動することができ、
前記開口部（１１）から液体を吸引するためには、第２主要部（２０）が第１ポジションから第２ポジションに移動し、前記開口部（１１）から液体を排出するためには、第２主要部（２０）が第２ポジションから第１ポジションに移動し、
前記プッシュ部（２２）の後端部（２２ｂ）では、第２主要部（２０）が第２ポジションから第１ポジションに移動するように、第１軸方向に力が及ぼされる第１扶持面（２３ａ）を形成しており、
前記シリンダー（１０）は、そのシリンダーの横に突出し、シリンダー（１０）と一体に形成された中央扶持面（１２）を、その緩衝部（１０ｂ）に備え、
前記中央扶持面（１２）は、その後方面で第２扶持面（１２ａ）を構成し、その前方面で、第２主要部（２０）が第２ポジションから第１ポジションに移動するように、第１軸方向とは反対方向である第２軸方向に力が及ぼされる第３扶持面（２３ｂ）を構成している注射器であって、
前記第２主要部（２０）のプッシュ部（２２）は、連結リンク（２８、２９）によって第２主要部（２０）のピストン棒（２１）に接合され、かつ第１扶持面（２３ａ）によってプッシュ部の後端部（２２ｂ）で接合された２つの細長い構成部材（２４、２５）を備え、ピストン棒（２１）の緩衝部（２１ｂ）、中央扶持面（１２）、細長い構成部材（２４、２５）および第１扶持面（２３ａ）によって境界が定められた間隙部（２６）を設けていることと、
前記第２主要部（２０）のプッシュ部（２２）は、その前端部（２２ａ）で、第２主要部を第１ポジションから第２ポジションに移動させるように、第１軸方向とは反対方向である第２軸方向に力が及ぼされる第４扶持面（２７ａ、２７ｂ）を形成していることと、
前記シリンダー（１０）は、その出入口部（１０ｂ）において、出入口部（１０ｂ）からシリンダー（１０）の前端部（１０ａ）の方に向かって、第１ポジション時にピストン棒の緩衝部（２１ｂ）によって占有される位置まで伸びている少なくとも２つの縦溝（１３、１４）を備えていることと、
第２主要部（２０）のプッシュ部（２２）の細長い構成部材（２４、２５）は、前記縦溝（１３、１４）に収納される連結リンク（２８、２９）によって、第２主要部（２０）のピストン棒（２１）の緩衝部（２１ｂ）に接合されていることとを特徴とする注射器。
【請求項２】
第２主要部（２０）が第１ポジションにある場合、この位置において、第１主要部（１０）の出入口部（１０ｂ）と、中央扶持面（１２）と、側面の細長い構成部材（２４、２５）と、細長い構成部材（２４、２５）の後端部にて細長い部材を接合する第１扶持面（２３ａ）とによって境界が定められた前記間隙部（２６）は、ユーザの親指をこの間隙部（２６）に挿入できるぐらい十分な大きさであることを特徴とする請求項１に記載の注射器。
【請求項３】
第２主要部（２０）が第１ポジションにある場合、ピストン棒（２１）の緩衝部（２１ｂ）は、第１ポジションと第２ポジションとの間で第２主要部（２０）が動く範囲に応じた、シリンダー（１０）の出入口部（１０ｂ）からの距離に配置されることを特徴とする前記請求項のいずれかに記載の注射器。
【請求項４】
第２主要部（２０）が第２ポジションにある場合、第２主要部（２０）のピストン棒（２１）の緩衝部（２１ｂ）は、シリンダー（１０）の出入口部（１０ｂ）と同じ高さに配置されることを特徴とする前記請求項のいずれかに記載の注射器。
【請求項５】
前記扶持要素（１２）は、軸方向に、第２主要部（２０）のピストン棒（２１）と、連結リンク（２８、２９）と、第４扶持面（２７ａ、２７ｂ）と、細長い構成部材（２４、２５）の一部とが通ることができるように形成された貫通開口部（１５）を備えていることを特徴とする前記請求項のいずれかに記載の注射器。
【請求項６】
前記扶持要素（１２）の貫通開口部（１５）は、所定位置に細長い構成部材（２４、２５）を保持する役割を果す、側面扶持縁（１５ａ）を備えていることを特徴とする前記請求項のいずれかに記載の注射器。
【請求項７】
前記溝（１３、１４）は、シリンダー（１０）の出入口部（１０ｂ）から、ピストン棒（２１）のピストン（２１ａ）が開口部（１１）と接して配されている場合に、前記連結リンク（２８、２９）が占有する位置まで伸びていることを特徴とする前記請求項のいずれかに記載の注射器。
【請求項８】
前記細長い構成部材（２４、２５）の端部（２２ａ）に接合された２つの柄（３０、３１）を備え、無関係ないくつかの部材が溝（１３、１４）に入ることと、連結リンク（２８、２９）がそれら溝（１３、１４）に沿って動くこととを防ぐことを特徴とする請求項７に記載の注射器。
【請求項９】
第２主要部（２０）が第２ポジションにある場合、第３扶持面（２３ｂ）とこの第２主要部（２０）のプッシュ部（２２）の前端部（２２ａ）との間の距離は、第２主要部（２０）のプッシュ部（２２）の前端部（２２ａ）と第３扶持面（２３ｂ）との間で、ユーザが注射器の各側面に１本の指を配置することができるような距離であることを特徴とする前記請求項のいずれかに記載の注射器。
【請求項１０】
第４扶持面（２７ａ、２７ｂ）は、２つの側面フランジ（２４ａ、２５ａ）からなり、各側面フランジ（２４ａ、２５ａ）の一方が、細長い構成部材（２４、２５）のうちの１方の先端に配されていることを特徴とする前記請求項のいずれかに記載の注射器。
【請求項１１】
片手だけで用いられることを特徴とする前記請求項のいずれかに記載の注射器。
【請求項１２】
前記シリンダー（１０）の前端部（１０ａ）に皮下注射針を接続するために、このシリンダー（１０）の前端部（１０ａ）に手段（１６）が備えられていることを特徴とする前記請求項のいずれかに記載の注射器。
【請求項１３】
前記第１主要部（１０）が、一体成形された部材であることを特徴とする前記請求項のいずれかに記載の注射器。
【請求項１４】
前記第２主要部（２０）が、一体成形された部材であることを特徴とする前記請求項のいずれかに記載の注射器。
【請求項１５】
前記プッシュ部（２２ａ）の前端部で細長い構成部材（２４、２５）の厚さは、注射器のシリンダー（１０）の直径に基づいて、厚くなったり薄くなったりすることを特徴とする請求項１に記載の注射器。
【請求項１６】
小さいシリンダー直径（１０）である注射器に関して、プッシュ部（２２ａ）の前端部での細長い構成部材（２４、２５）の厚さは、細長い構成部材（２４、２５）間での離隔幅によって境界が定められている開口部（２６）に、親指を挿入できるように、構成部材の厚さの中でより厚くなることを特徴とする請求項１５に記載の注射器。
【請求項１７】
大きなシリンダー直径（１０）である注射器に関して、プッシュ部（２２ａ）の前端部での細長い構成部材（２４、２５）の厚さは、細長い構成部材（２４、２５）間での離隔幅によって境界が定められている開口部（２６）に、親指を挿入できるように、構成部材の厚さの中でより薄くなる、または略等しくなることを特徴とする請求項１５に記載の注射器。
【請求項１８】
前記シリンダー（１０）の内部面において、ピストン棒（２１）がシリンダー（１０）から抜け出ることを防ぐために、シリンダー（１０）の出入口部（１０ｂ）に近接している、凹凸面の少なくとも１つのリングを備えていることを特徴とする前記請求項に記載の注射器。